(57)【要約】      （修正有）【課題】ブーツに回転力が加わっても、ブーツがハウジングに対して回転方向にずれ難い光コネクタを提供する。【解決手段】フェルールと、フェルールを後退可能に押圧するフローティング機構を収容するハウジング１１と、ハウジングの外側に取り付けられたカップリングと、フローティング機構のスプリングプッシュ２３の後側に取り付けられるブーツ１３とを備え、スプリングプッシュは、筒部２３Ａと、筒部の外周に形成されたフランジ部２３Ｂと、フランジ部よりも前側に形成された溝部２３Ｃと、溝部の外周面の一部から外側に突出した凸部２３Ｄと、を有し、ブーツは、ブーツの前側開口の前縁に形成され、溝部に引っ掛かる爪部と、ブーツの前側開口の前縁に形成され、凸部が係合する凹部と、を有する。【選択図】図４
2020013010.tif 000002
【特許請求の範囲】
【請求項１】
フェルールと、
前記フェルールを後退可能に押圧するフローティング機構を収容するハウジングと、
前記ハウジングの外側に取り付けられたカップリングと、
前記フローティング機構のスプリングプッシュの後側に取り付けられるブーツと、
を備え、
前記スプリングプッシュは、
筒部と、
前記筒部の外周に形成されたフランジ部と、
フランジ部よりも前側に形成された溝部と、
前記溝部の外周面の一部から外側に突出した凸部と、
を有し、
前記ブーツは、
前記ブーツの前側開口の前縁に形成され、前記溝部に引っ掛かる爪部と、
前記ブーツの前側開口の前縁に形成され、前記凸部が係合する凹部と、
を有する、
ことを特徴とする光コネクタ。
【請求項２】
請求項１に記載の光コネクタであって、
前記スプリングプッシュは、前記凸部を両側から挟むように配置された一対の切欠部を有し、
前記ブーツは、前記切欠部にそれぞれ係合する一対のブーツ側凸部を有する、
ことを特徴とする光コネクタ。
【請求項３】
請求項１又は２に記載の光コネクタであって、
前記ハウジングは、後側に突出した一対の突出部を有し、
前記一対の突出部は、前記凸部の外側に配置されおり、
前記突出部と前記凸部との間に、前記ブーツの前縁部が配置される、
ことを特徴とする光コネクタ。
【発明の詳細な説明】
【技術分野】
【０００１】
本発明は、光コネクタに関する。
【背景技術】
【０００２】
光コネクタの一例として、例えばＭＰＯコネクタ（ＪＩＳ  Ｃ５９８２に制定されるＦ１３形多心光ファイバコネクタ）が知られている。この光コネクタは、フェルールと、ハウジングと、ブーツとを備えている。ハウジングは、フェルールとともに、フェルールを後退可能に押圧するフローティング機構を収容している。また、ハウジングの外側にはカップリングが取り付けられている。カップリングは、光コネクタのラッチを解除する部材である。カップリングを後側に引っ張るとことによって、光コネクタのラッチが解除されることになる（光コネクタを抜去するときに、カップリングを後側に引っ張ることになる）。ブーツは、ハウジングの後側に配置されている。  
特許文献１には、このような光コネクタ（ＭＰＯ光コネクタ）が記載されている。
【先行技術文献】
【特許文献】
【０００３】
【特許文献１】特開２０１３−２４６３２１号公報
【発明の概要】
【発明が解決しようとする課題】
【０００４】
ブーツは、比較的柔軟な材質で構成されている。このため、ブーツに回転力が加わったときに、ブーツが変形してしまい、ブーツがハウジングに対して回転してしまうことが起こり得る。
【０００５】
一方、光コネクタの短尺化させるため、ハウジングを短尺化させることが検討されている。但し、ハウジングを短尺化させると、カップリングとブーツとの前後方向の位置が近接することになる。
【０００６】
そして、ハウジングを短尺化させた状況下で、ブーツがハウジングに対して回転方向にずれてしまうと、ブーツとカップリングとが干渉してしまい、カップリングを後側に引っ張ることができなくなるおそれがある（後述）。
【０００７】
本発明は、ブーツに回転力が加わっても、ブーツがハウジングに対して回転方向にずれ難くすることを目的とする。
【課題を解決するための手段】
【０００８】
上記目的を達成するための主たる発明は、フェルールと、前記フェルールを後退可能に押圧するフローティング機構を収容するハウジングと、前記ハウジングの外側に取り付けられたカップリングと、前記フローティング機構のスプリングプッシュの後側に取り付けられるブーツとを備え、前記スプリングプッシュは、筒部と、前記筒部の外周に形成されたフランジ部と、フランジ部よりも前側に形成された溝部と、前記溝部の外周面の一部から外側に突出した凸部と、を有し、前記ブーツは、前記ブーツの前側開口の前縁に形成され、前記溝部に引っ掛かる爪部と、前記ブーツの前側開口の前縁に形成され、前記凸部が係合する凹部と、を有することを特徴とする光コネクタである。
【０００９】
本発明の他の特徴については、後述する明細書及び図面の記載により明らかにする。
【発明の効果】
【００１０】
本発明によれば、ブーツがハウジングに対して回転方向にずれることを抑制できる。
【図面の簡単な説明】
【００１１】
【図１】図１Ａは、本実施形態の光コネクタ１の全体斜視図であり、図１Ｂは、カップリング１４を外した状態の光コネクタ１の斜視図である。
【図２】光コネクタ１の分解図である。
【図３】図３Ａは、通常時の光コネクタ１の状態を示す斜視図である。図３Ｂは、光コネクタ１の抜去時（カップリング１４を後側にスライドさせた状態）の斜視図である。図３Ｃは、ブーツ１３がハウジング１１に対して回転方向にずれた時の斜視図である。
【図４】図４Ａは、前側結合部の斜視図であり、図４Ｂは、フランジ部２３Ｂにかしめ部材１５を位置合わせしたときの様子を示す図である。
【図５】ブーツ側結合部の斜視図である。
【図６】結合部の断面図である。
【発明を実施するための形態】
【００１２】
後述する明細書及び図面の記載から、少なくとも以下の事項が明らかとなる。
【００１３】
フェルールと、前記フェルールを後退可能に押圧するフローティング機構を収容するハウジングと、前記ハウジングの外側に取り付けられたカップリングと、前記フローティング機構のスプリングプッシュの後側に取り付けられるブーツとを備え、前記スプリングプッシュは、筒部と、前記筒部の外周に形成されたフランジ部と、フランジ部よりも前側に形成された溝部と、前記溝部の外周面の一部から外側に突出した凸部と、を有し、前記ブーツは、前記ブーツの前側開口の前縁に形成され、前記溝部に引っ掛かる爪部と、前記ブーツの前側開口の前縁に形成され、前記凸部が係合する凹部と、を有することを特徴とする光コネクタが明らかとなる。このような光コネクタによれば、スプリングプッシュの凸部とブーツの凹部とが係合することによって、ブーツがハウジングに対して回転方向にずれることを抑制できる。
【００１４】
前記スプリングプッシュは、前記凸部を両側から挟むように配置された一対の切欠部を有し、前記ブーツは、前記切欠部にそれぞれ係合する一対のブーツ側凸部を有することが望ましい。これにより、ブーツがハウジングに対して回転方向にずれることを更に抑制することができる。
【００１５】
前記ハウジングは、後側に突出した一対の突出部を有し、前記一対の突出部は、前記凸部の外側に配置されおり、前記突出部と前記凸部との間に、前記ブーツの前縁部が配置されることが望ましい。これにより、ブーツがハウジングに対して回転方向にずれることを更に抑制することができる。
【００１６】
＝＝＝第１実施形態＝＝＝
＜基本構成＞
図１Ａは、本実施形態の光コネクタ１の全体斜視図であり、図１Ｂは、カップリング１４を外した状態の光コネクタ１の斜視図である。また、図２は、光コネクタ１の分解図である。
【００１７】
以下の説明では、図に示すように各方向を定義する。すなわち、光コード３の長手方向（光軸方向）を「前後方向」とし、ブーツ１３に対してハウジング１１が設けられている側（光ファイバ５の先端側）を「前」、その逆側を「後」とする。また、一対のガイドピン穴１０１の並ぶ方向や、複数の光ファイバ穴１０２の並ぶ方向を「左右方向」とし、後側から前側を見たときの右側を「右」、逆側を「左」とする。なお、左右方向のことを「幅方向」と呼ぶこともある。また、「前後方向」及び「左右方向（幅方向）」と直交する方向を「上下方向」とし、図に示すように「上」及び「下」を定義する。
【００１８】
本実施形態の光コネクタ１は、ＭＰＯコネクタ（ＪＩＳ  Ｃ  ５９８２やＩＥＣ  ６１７５４−７などに制定）である。光コネクタ１は、フェルール１０と、ハウジング１１と、フローティング機構１２と、ブーツ１３と、カップリング１４と、かしめ部材１５と、光コード３と、を有する。
【００１９】
フェルール１０は、光ファイバ５の端部を保持する部材である。フェルール１０は、一対のガイドピン穴１０１と、複数の光ファイバ穴１０２と、接続端面１０３と、鍔部１０４とを有する。
【００２０】
ガイドピン穴１０１は、ガイドピン（不図示）の挿入される穴である。光コネクタ１が雄型の場合には、ガイドピン穴１０１からガイドピンの端部が突出するように、ガイドピン穴１０１に予めガイドピンが挿入されている。光コネクタ１が雌型の場合には、ガイドピン穴１０１に、相手方光コネクタのガイドピンが挿入されることになる。コネクタ接続時にガイドピンとガイドピン穴１０１とが嵌合することによって、フェルール１０の位置合わせが行われることになる。
【００２１】
光ファイバ穴１０２は、光ファイバ５の端部を挿入するための穴である。各光ファイバ穴１０２には、それぞれ光ファイバ５の端部が固定されている。
【００２２】
接続端面１０３は、相手方光コネクタのフェルール等との接続端面である。接続端面１０３は、フェルール１０の前側に設けられている。接続端面１０３には、一対のガイドピン穴１０１及び複数の光ファイバ穴１０２の開口部が形成されている。
【００２３】
鍔部１０４は、フェルール１０の外周面から外側に突出する部位である。
【００２４】
ハウジング１１は、フェルール１０を後退可能に押圧しつつ収容している筒状の部材である。ハウジング１１の内壁面には、内側に向かって突出する突出部（不図示）が設けられている。この突出部がフェルール１０の鍔部１０４と接触することによって、前側に向かって押圧されているフェルール１０の前抜けが防止される。また、ハウジング１１の側面には、アダプタの爪部（不図示）の引っ掛かる係止部１１３が形成されている。なお、本実施形態のハウジング１１は、短尺化されており、前後方向の長さが短い（本実施形態の光コネクタはＳｈｏｒｔ  ＭＰＯ、又は、Ｍｉｎｉ  ＭＰＯと呼ばれることがある）。
【００２５】
フローティング機構１２は、フェルール１０を前側に押圧する部位であり、ハウジング１１に収容されている。フローティング機構１２は、ピンクランプ２１と、スプリング２２と、スプリングプッシュ２３を有している。
【００２６】
ピンクランプ２１は、ガイドピン（不図示）をクランプして保持するものである。ピンクランプ２１は、フェルール１０の後方に配置される部材である。光コネクタ１が雄型の場合、ピンクランプ２１は、ガイドピン（不図示）の後端を保持することになる。なお、ガイドピンのフランジ（不図示）がフェルール１０の後側端面とピンクランプ２１の前側端面との間に挟まれて配置されており、ガイドピンが前後方向に抜けることが防止されている。なお、ガイドピンはフェルール１０のガイドピン穴１０１を貫通して、先端が接続端面１０３から突出することになる。ピンクランプ２１の後部には、スプリング２２の前端部が固定されている。
【００２７】
スプリング２２は、フェルール１０を前側に押圧する押圧力を付与する弾性部材である。スプリング２２は、ピンクランプ２１とスプリングプッシュ２３との間で圧縮変形した状態でハウジング１１に収容されている。スプリング２２の前端部はピンクランプ２１に固定されており、スプリング２２の後端部はスプリングプッシュ２３に固定されている。また、スプリング２２は、スプリングプッシュ２３の一対のアーム部２３１に挟まれるように配置されている。本実施形態のスプリング２２は、左右方向（幅方向）の長さが、上下方向の長さよりも大きい。つまり、スプリング２２は、前後方向から見たとき、左右方向を長径、上下方向を短径とする楕円形状となるように形成されている。但し、スプリング２２の形状（前後方向から見た形状）は楕円形状には限られない。例えば、円形状に形成されていてもよい。
【００２８】
スプリングプッシュ２３は、スプリング２２を圧縮した状態でハウジング１１内に収容させる部材である。スプリングプッシュ２３が、ハウジング１１に引っ掛かることによって、スプリング２２が圧縮された状態でハウジング１１内に収容される。これにより、圧縮変形したスプリング２２の反発力によって、ピンクランプ２１を介してフェルール１０が前側に押圧されることになる。このようにフェルール１０を押圧することによって、光コネクタ１同士を接続したときに、フェルール１０の端面同士を所定の力で物理的に突き当てた状態を保持できる。なお、スプリングプッシュ２３におけるブーツ１３との結合部分（前側結合部）の詳細については後述する。
【００２９】
ブーツ１３は、光ファイバ５の曲がりを緩やかにするための部材であり、ハウジング１１の後側（詳しくは、ハウジング１１に収容されたフローティング機構１２のスプリングプッシュ２３の後側）に取り付けられている。ブーツ１３は、例えばゴムやエラストマー等の可撓性を有する材料で構成することが好ましいが、樹脂や金属等の可撓性の低い材料で構成してもよい。ブーツ１３によって、光の伝送損失が低減され、若しくは光ファイバ自体が保護される。なお、ブーツ１３におけるスプリングプッシュ２３との結合部（ブーツ側結合部）の詳細については後述する。
【００３０】
カップリング１４は、ハウジング１１の外側に配置された筒状の部材であり、ハウジング１１に対して前後方向にスライド可能に設けられている。カップリング１４は、アダプタの爪部（不図示）がハウジング１１の係止部１１３に引っ掛かった状態（以下、ラッチ状態と称する）を保持する結合部材である。詳しくは、アダプタの爪部（不図示）がハウジング１１の係止部１１３に引っ掛かった状態（ラッチ状態）のとき、カップリング１４の内壁面によって、アダプタの爪部（不図示）が外側に開くことが防止され、これにより、ラッチ状態が保持される。光コネクタ１の抜去時に、ハウジング１１に対してカップリング１４を後側にスライドさせると、アダプタの爪部（不図示）が外側に開くことが許容され、ラッチ状態が解除されることになる。
【００３１】
光コード３は、光ファイバ５と外被７とを有している。
【００３２】
光ファイバ５は、光信号の伝送線であり、光コード３に複数設けられている。複数の光ファイバ５は、間欠固定型の光ファイバテープ心線で構成されてもよい。これにより、光ファイバテープ心線を丸めて筒状（束状）にしたり、折り畳んだりすることが可能になり、多数の光ファイバ５を高密度に束ねることが可能になる。
【００３３】
外被７は、複数の光ファイバ５を覆う被覆材であり、熱可塑性樹脂等により形成されている。そして、外被７等が除去された光ファイバ５（裸光ファイバ）の端部が、フェルール１０の光ファイバ穴１０２に挿入されることになる。
【００３４】
かしめ部材１５は、金属製のリング状の部材であり、光コード３の外被７の端部（口出し部）をスプリングプッシュ２３の筒部２３Ａに固定（かしめ固定）させるための部材である。
【００３５】
図３Ａは、通常時の光コネクタ１の状態を示す斜視図である。図３Ｂは、光コネクタ１の抜去時（カップリング１４を後側にスライドさせた状態）の斜視図である。図３Ｃは、ブーツ１３がハウジング１１に対して回転方向にずれた時の斜視図である。なお、回転方向とは、光コード３を軸（中心）として時計方向又は反時計方向に回転する方向である。
【００３６】
本実施形態の光コネクタ１では、前述したようにハウジング１１が短尺化されている。このため、図３Ａに示すように、カップリング１４とブーツ１３との前後方向の位置が近接している。
【００３７】
また、光コネクタ１では、図３Ｂに示すように、カップリング１４がハウジング１１に対して前後方向に移動可能になっており、前述したように、カップリング１４をハウジング１１に対して後側にスライドさせることにより、ラッチ状態を解除することができる。
【００３８】
ところで、ブーツ１３は、比較的柔軟な材質で構成されているため、ブーツ１３に回転力が加わることにより、図３Ｃに示すように、ブーツ１３がハウジング１１に対して回転してしまうことがある。
【００３９】
このように、ハウジング１１を短尺化させた状況下で、ブーツ１３がハウジング１１に対して回転方向にずれてしまうと、ブーツ１３とカップリング１４とが干渉してしまい、カップリング１４を後側にスライドさせることができなくなるおそれがある。すなわち、ラッチ状態を解除できなくなるおそれがある。
【００４０】
そこで、本実施形態では、ブーツ１３がハウジング１１に対して回転方向にずれ難くなるように、スプリングプッシュ２３とブーツ１３との結合部（以下、単に結合部ともいう）を構成している。
【００４１】
＜結合部＞
図４Ａは、前側結合部の斜視図であり、図４Ｂは、フランジ部２３Ｂにかしめ部材１５を位置合わせしたときの様子を示す図である。また、図５は、ブーツ側結合部の斜視図である。また、図６は、結合部の断面図である。
【００４２】
・前側結合部
前側結合部は、結合部における前側の部位であり、図４Ａに示すように、スプリングプッシュ２３及びハウジング１１の後端部で構成されている。
【００４３】
（スプリングプッシュ２３）
スプリングプッシュ２３は前側結合部として、筒部２３Ａと、フランジ部２３Ｂと、溝部２３Ｃと、凸部２３Ｄと、切欠部２３Ｅとを有している。
【００４４】
筒部２３Ａは、スプリングプッシュ２３の後端面から後側に突出した筒状の部位である。筒部２３Ａの内側には光コード３の複数の光ファイバ５が挿通される。また、筒部２３Ａの外側には光コード３の外被７が被せられる。さらに、その外側には、かしめ部材１５が配置される。そして、かしめ部材１５をかしめることによって、筒部２３Ａに外被７が固定（かしめ固定）される。
【００４５】
フランジ部２３Ｂは、筒部２３Ａの外周において外側に突出するように形成された部位である。筒部２３Ａの外側にかしめ部材１５を嵌めると、図４Ｂに示すように、かしめ部材１５がフランジ部２３Ｂに突き当たる。これにより、かしめ部材１５の位置合わせを行うことができる（すなわち、かしめ部材１５の挿入しすぎを防止することができる）。
【００４６】
溝部２３Ｃは、筒部２３Ａにおいてフランジ部２３Ｂよりも前側に形成された溝状の部位であり、ブーツ１３の爪部１３Ｃが引っ掛かる部位である（図６参照）。
【００４７】
凸部２３Ｄは、溝部２３Ｃの外周面の一部から外側に突出している。本実施形態では、凸部２３Ｄは、筒部２３Ａの左右両側に一対設けられている。凸部２３Ｄは、ブーツ１３の凹部１３Ｄ（後述）と係合する部位である。
【００４８】
切欠部２３Ｅは、ブーツ１３のブーツ側凸部１３Ｅ（後述）が係合する部位である。本実施形態では、一対の切欠部２３Ｅが、凸部２３Ｄを上下方向（回転方向）の両側から挟むように配置されている。すなわち、切欠部２３Ｅは、凸部２３Ｄの上下両側（回転方向の両側）に配置されている。
【００４９】
（ハウジング１１）
ハウジング１１は、前側結合部として突出部１１Ａを有している。突出部１１Ａは、ハウジング１１から後側に突出する部位であり、スプリングプッシュ２３の一対の凸部２３Ｄに対して、左右方向の外側に配置されている。そして、突出部１１Ａは、ブーツ１３が取り付けられたとき、ブーツ１３の前縁（前縁部１３Ｂ）を左右方向の外側から押さえる。すなわち、スプリングプッシュ２３の凸部２３Ｄとブーツ１３の凹部１３Ｄとの係合部を外側から押さえる。これにより、ブーツ１３の係合が外れ難くなり、また、ブーツ１３がハウジング１１に対して回転方向にずれることを抑制できる。
【００５０】
・ブーツ側結合部
ブーツ側結合部は、結合部における後側（ブーツ１３側）の部位であり、図５に示すように、ブーツ１３の前側部分で構成されている。ブーツ１３は、ブーツ側結合部として、前側開口１３Ａと、前縁部１３Ｂと、爪部１３Ｃと、凹部１３Ｄと、ブーツ側凸部１３Ｅと、を有している。
【００５１】
前側開口１３Ａは、ブーツ１３の前側に開口した開口部であり、スプリングプッシュ２３の筒部２３Ａ（及び、かしめ部材１５）が挿入される部位である。
【００５２】
前縁部１３Ｂは、ブーツ１３の前縁部分のうちスプリングプッシュ２３の凸部２３Ｄと、ハウジング１１の突出部１１Ａとの間に係合される部位であり、左右方向の両側の端部（側部）に設けられている。前縁部１３Ｂが、スプリングプッシュ２３の凸部２３Ｄとハウジング１１の突出部１１Ａとの間に係合（配置）されることによって、ブーツ１３の回転方向の位置ずれを抑制する効果を高めることができる。
【００５３】
爪部１３Ｃは、前側開口１３Ａの前縁に形成されおり、前側開口１３Ａの内側に突出している。爪部１３Ｃは、スプリングプッシュ２３の溝部２３Ｃに結合する（引っ掛かる）部位である（図６参照）。爪部１３Ｃと溝部２３Ｃとの結合により、スプリングプッシュ２３（換言するとハウジング１１）に対するブーツ１３の前後方向の位置ずれを防止できる。なお、爪部１３Ｃを溝部２３Ｃに結合させるとき、爪部１３Ｃがフランジ部２３Ｂよりも外側に広がるようにブーツ１３が変形する。このような変形を許容できる程度に、ブーツ１３は比較的柔軟な材質で形成されている。
【００５４】
凹部１３Ｄは、前側開口１３Ａの前縁に形成されている。凹部１３Ｄは、スプリングプッシュ２３の凸部２３Ｄが係合する部位であり、凸部２３Ｄに対応して一対（前側開口１３Ａの左右方向の両端に一対）設けられている。そして、ブーツ１３をハウジング１１（スプリングプッシュ２３）に取り付けると、スプリングプッシュ２３の凸部２３Ｄと、ブーツ１３の凹部１３Ｄが係合する。この係合により、スプリングプッシュ２３（換言するとハウジング１１）に対するブーツ１３の回転方向の位置ずれを抑制することができる。
【００５５】
ブーツ側凸部１３Ｅは、ハウジング１１内に配置されたスプリングプッシュ２３の切欠部２３Ｅに係合する部位である。図５に示すように、一対のブーツ側凸部１３Ｅが、凹部１３Ｄを上下方向（回転方向）から挟むように配置されている。すなわち、ブーツ側凸部１３Ｅは、凹部１３Ｄの上下両側（回転方向両側）に配置されている。そして、ブーツ１３をスプリングプッシュ２３に取り付けると、ブーツ側凸部１３Ｅは切欠部２３Ｅに係合する。この係合により、スプリングプッシュ２３（換言するとハウジング１１）に対するブーツ１３の回転方向の位置ずれを更に抑制することができる。なお、スプリングプッシュ２３の切欠部２３Ｅとブーツ１３のブーツ側凸部１３Ｅが無くてもよい。このようにしても、スプリングプッシュ２３の凸部２３Ｄとブーツ１３の凹部１３Ｄが係合していれば、ハウジング１１に対するブーツ１３の回転方向の位置ずれを抑制できる。但し、本実施形態のように、凸部２３Ｄと凹部１３Ｄだけでなく、切欠部２３Ｅとブーツ側凸部１３を更に備えている構成の方が、ハウジング１１に対するブーツ１３の回転方向の位置ずれを更に抑制できるのでより望ましい。
【００５６】
以上、説明したように、本実施形態の光コネクタ１は、フェルール１０と、フェルール１０を後退可能に押圧するフローティング機構１２を収容するハウジング１１と、ハウジングの外側に取り付けられたカップリング１４と、フローティング機構１２のスプリングプッシュ２３の後側に取り付けられるブーツ１３とを備えている。  
スプリングプッシュ２３は、筒部２３Ａと、筒部２３Ａの外周に形成されたフランジ部２３Ｂと、フランジ部２３Ｂよりも前側に形成された溝部２３Ｃと、溝部２３Ｃの外周面の一部から外側に突出した凸部２３Ｄとを有している。  
一方、ブーツ１３は、当該ブーツ１３の前側開口１３Ａの前縁に形成されてスプリングプッシュ２３の溝部２３Ｃに引っ掛かる爪部１３Ｃと、前側開口１３Ａの前縁に形成されて、スプリングプッシュ２３の凸部２３Ｄが係合する凹部１３Ｅとを有している。
【００５７】
以上の構成により、ブーツ１３をハウジング１１（スプリングプッシュ２３）に取り付けたとき、スプリングプッシュ２３の凸部２３Ｄとブーツ１３の凹部１３Ｄとが係合する。この係合により、ブーツ１３がスプリングプッシュ２３（換言するとハウジング１１）に対して回転方向にずれることを抑制できる。
【００５８】
また、スプリングプッシュ２３は、凸部２３Ｄを上下（回転方向）両側から挟むように配置された一対の切欠部２３Ｅを有しており、ブーツ１３は、切欠部２３Ｅにそれぞれ係合する一対のブーツ側凸部１３Ｅを有している。これにより、ブーツ１３をハウジング１１に取り付けたとき、一対のブーツ側凸部１３Ｅと一対の切欠部２３Ｅがそれぞれ係合するため、ブーツ１３がハウジング１１に対して回転方向にずれることを更に抑制できる。
【００５９】
また、ハウジング１１は、後側に突出した一対の突出部１１Ａを有しており、この一対の突出部１１Ａは、スプリングプッシュの凸部２３Ｄの外側に配置されている。そして、ブーツ１３をハウジング１１に取り付けたとき、突出部１１Ａと凸部２３Ｄの間に、ブーツ１３の前縁部１３Ｂが配置される。これにより、ブーツ１３がハウジング１１に対して回転方向にずれることを更に抑制できる。なお、ハウジング１１が一対の突出部１１Ａを備えていなくてもよい。この場合においても、スプリングプッシュ２３の凸部２３Ｄとブーツ１３の凹部１３Ｄが係合していれば、ハウジング１１に対するブーツ１３の回転方向の位置ずれを抑制できる。但し、本実施形態のようにハウジング１１に一対の突出部１１Ａを設け、突出部１１Ａと凸部２３Ｄの間に、ブーツ１３の前縁部１３Ｂが配置されるようにすると、ハウジング１１に対するブーツ１３の回転方向の位置ずれを更に抑制できるのでより望ましい。
【００６０】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６１】
１  光コネクタ、３  光コード、
５  光ファイバ、７  外被、
１０  フェルール、１１  ハウジング、
１２  フローティング機構、１３  ブーツ、
１３Ｂ  前縁部、１３Ｃ  爪部、
１３Ｄ  凹部、１３Ｅ  ブーツ側凸部、
１４  カップリング、１５  かしめ部材、
２１  ピンクランプ、２２  スプリング、
２３  スプリングプッシュ、２３Ａ  筒部、
２３Ｂ  フランジ部、２３Ｃ  溝部、
２３Ｄ  凸部、２３Ｅ  切欠部、
１０１  ガイドピン穴、１０２  光ファイバ穴、
１０３  接続端面、１０４  鍔部、
２３１  アーム部
【図１】
2020013010.tif 000003
【図２】
2020013010.tif 000004
【図３】
2020013010.tif 000005
【図４】
2020013010.tif 000006
【図５】
2020013010.tif 000007
【図６】
2020013010.tif 000008